(57)【要約】【課題】有色ノイズによる通信品質の低下を抑制する。【解決手段】複数の搬送波からなる複写チャンネルＣＨ1〜ＣＨNを構成し、各複写チャンネルＣＨ1〜ＣＨNで同一のパケットＰ１i，Ｐ２i，…，Ｐ５iを送信器Ｔから送信する。受信器Ｒでは各複写チャンネルＣＨ1〜ＣＨN毎に受信状態判定部１１ｂで受信状態を判定し、最良な複写チャンネルＣＨ1，…についてのみ復調処理を行う。故に、反射波以外の有色ノイズ、例えば、他の無線通信システムの電波などとの干渉ノイズによる通信品質の低下が抑制できる。【選択図】      図１
2006042069.tif 000002
【特許請求の範囲】
【請求項１】
送信器と受信器とを有し、直交周波数分割多重変調方式を用いてデータを変調・復調して通信する無線通信システムであって、送信器は、入力されたデータを複数のパケットに分割するとともに分割した個々のパケットを複写することで複数個の同一パケットを作成し該同一パケットについて複数の搬送波からなる複写チャンネル毎に変調する処理を行う変調処理手段と、変調処理手段で処理された各パケットに逆フーリエ変換を行って周波数領域のパケットを時間領域のパケットに一括変換する逆フーリエ変換手段とを備え、受信器は、各搬送波に対してフーリエ変換を行うフーリエ変換手段と、フーリエ変換により時間領域から周波数領域へ変換された同一の複写チャンネルに属する搬送波のうちで受信状態が最も良好な搬送波から元のデータを復調する処理を行う復調処理手段とを備えたことを特徴とする無線通信システム。
【請求項２】
変調処理手段及び復調処理手段における複写チャンネルの個数を変更する変更手段を前記送信器及び受信器に備えたことを特徴とする請求項１記載の無線通信システム。
【請求項３】
複写チャンネルを分割する分割手段と、一の複写チャンネルを分割して得られる複数の分割複写チャンネルにより他の複写チャンネルを周波数領域で前後から挟み込むように組み合わせる組合手段とを前記送信器に備え、分割複写チャンネルを合成して元の複写チャンネルに戻す合成手段を前記受信器に備えたことを特徴とする請求項１又は２記載の無線通信システム。
【請求項４】
ノイズレベルに基づいてそれぞれの搬送波を複数にランク分けし同じランクに属する複数の搬送波を組み合わせて各ランクに対応した複写チャンネルを作成する複写チャンネル作成手段を前記送信器に備え、受信器の復調処理手段は、ノイズレベルが最も低いランクに属する前記複写チャンネルに属する搬送波から元のデータを復調する処理を行うことを特徴とする請求項１又は２記載の無線通信システム。
【請求項５】
送信器の変調処理手段は分割したパケットにプリアンブルを付加し、受信器の復調処理手段はパケットに付加されたプリアンブルによって搬送波の受信状態を判定することを特徴とする請求項１又は２又は３記載の無線通信システム。
【請求項６】
送信器の変調処理手段はパケットに含まれるデータを複数のデータ列に分割し且つ各データ列の間に巡回冗長検査（ＣＲＣ）符号をそれぞれ挿入し、受信器の復調処理手段は各パケットに含まれるＣＲＣ符号による巡回冗長検査を行い、その検査結果に基づいて受信状態が最も良好な搬送波を選択することを特徴とする請求項１又は２又は３記載の無線通信システム。
【請求項７】
送信器の変調処理手段はパケットに含まれるデータを複数のデータ列に分割し且つ各データ列の間に定型符号をそれぞれ挿入し、受信器の復調処理手段は各パケットに含まれる定型符号の誤り率を演算し、該誤り率に基づいて受信状態が最も良好な搬送波を選択することを特徴とする請求項１又は２又は３記載の無線通信システム。
【発明の詳細な説明】
【技術分野】
【０００１】
本発明は、無線通信システムに関し、特に変調方式として直交周波数分割多重（ＯＦＤＭ）を用いた無線通信システムに関するものである。
【背景技術】
【０００２】
近年、無線通信システムとして免許が不要な特定小電力無線規格に準拠したもの、例えば、小電力データ通信システム用の２．４ＧＨｚ帯の無線信号を利用する無線ＬＡＮなどが急速に普及してきている。この種の無線通信システムでは、反射波によるマルチパス干渉の影響を低減するため、単一搬送波（シングルキャリア）の変調方式ではなく複数搬送波（マルチキャリア）の変調方式が採用されており、特に複数の搬送波を互いに干渉しないように密に並べて周波数帯域幅を可能な限り狭くできる直交周波数分割多重（ＯＦＤＭ）変調方式が広く採用されている（例えば、特許文献１等参照）。
【０００３】
図１０は直交周波数分割多重変調方式を採用した無線通信システムの一般的な構成を示すブロック図である。送信器Ｔは、入力されたデータを搬送波の数だけ分割するとともにデータを分割して得られる複数個のパケットについて送信する搬送波毎に位相と振幅の大きさを変調（マッピング）する処理を行う変調処理部１と、変調された各搬送波のパケットに逆フーリエ変換（離散フーリエ逆変換）を行って周波数領域のパケットを時間領域のパケットに一括変換する逆フーリエ変換部２と、各搬送波毎にガード・インターバルを付加した後に全てのパケットを合成して出力するガード・インターバル付加部３と、時間領域のパケットを合成して得られる送信信号（以下、「ＯＦＤＭ信号」と呼ぶ）を送信する送信部４とを主な構成要素として備える。また受信器Ｒは、ＯＦＤＭ信号を受信する受信部１４と、受信したＯＦＤＭ信号について各搬送波毎にガード・インターバルを除去するガード・インターバル除去部１３と、各搬送波に対してフーリエ変換（離散フーリエ変換）を行うフーリエ変換部１２と、フーリエ変換により時間領域から周波数領域へ変換された各搬送波について位相や振幅のデータを得ることで元のパケットを判定し、全てのパケットの判定結果から元のデータを復調する処理を行う復調処理部１１とを主な構成要素として備える。
【０００４】
このように直交周波数分割多重変調方式では、送信するデータを細かく分割し、分割した個々のデータ（パケット）を中心周波数が異なる多数の搬送波に乗せて伝送するため、反射波によるマルチパス干渉が低減でき、しかも、隣り合う搬送波を互いに直交させて送信することにより両者の帯域が重なり合うほど近接させても干渉することがなく、周波数帯域を狭めることができるものである。
【特許文献１】特開２００２−９７３１号公報
【発明の開示】
【発明が解決しようとする課題】
【０００５】
しかしながら、直交周波数分割多重変調方式を採用した無線通信システムであっても、反射波以外の有色ノイズ（例えば、他の無線通信システムの電波など）によって通信品質が低下してしまう虞があった。
【０００６】
本発明は上記事情に鑑みて為されたものであり、その目的は、有色ノイズによる通信品質の低下を抑制することができる無線通信システムを提供することにある。
【課題を解決するための手段】
【０００７】
請求項１の発明は、上記目的を達成するために、送信器と受信器とを有し、直交周波数分割多重変調方式を用いてデータを変調・復調して通信する無線通信システムであって、送信器は、入力されたデータを複数のパケットに分割するとともに分割した個々のパケットを複写することで複数個の同一パケットを作成し該同一パケットについて複数の搬送波からなる複写チャンネル毎に変調する処理を行う変調処理手段と、変調処理手段で処理された各パケットに逆フーリエ変換を行って周波数領域のパケットを時間領域のパケットに一括変換する逆フーリエ変換手段とを備え、受信器は、各搬送波に対してフーリエ変換を行うフーリエ変換手段と、フーリエ変換により時間領域から周波数領域へ変換された同一の複写チャンネルに属する搬送波のうちで受信状態が最も良好な搬送波から元のデータを復調する処理を行う復調処理手段とを備えたことを特徴とする。
【０００８】
請求項２の発明は、請求項１の発明において、変調処理手段及び復調処理手段における複写チャンネルの個数を変更する変更手段を前記送信器及び受信器に備えたことを特徴とする。
【０００９】
請求項３の発明は、請求項１又は２の発明において、複写チャンネルを分割する分割手段と、一の複写チャンネルを分割して得られる複数の分割複写チャンネルにより他の複写チャンネルを周波数領域で前後から挟み込むように組み合わせる組合手段とを前記送信器に備え、分割複写チャンネルを合成して元の複写チャンネルに戻す合成手段を前記受信器に備えたことを特徴とする。
【００１０】
請求項４の発明は、請求項１又は２の発明において、ノイズレベルに基づいてそれぞれの搬送波を複数にランク分けし同じランクに属する複数の搬送波を組み合わせて各ランクに対応した複写チャンネルを作成する複写チャンネル作成手段を前記送信器に備え、受信器の復調処理手段は、ノイズレベルが最も低いランクに属する前記複写チャンネルに属する搬送波から元のデータを復調する処理を行うことを特徴とする。
【００１１】
請求項５の発明は、請求項１又は２又は３の発明において、送信器の変調処理手段は分割したパケットにプリアンブルを付加し、受信器の復調処理手段はパケットに付加されたプリアンブルによって搬送波の受信状態を判定することを特徴とする。
【００１２】
請求項６の発明は、請求項１又は２又は３の発明において、送信器の変調処理手段はパケットに含まれるデータを複数のデータ列に分割し且つ各データ列の間に巡回冗長検査（ＣＲＣ）符号をそれぞれ挿入し、受信器の復調処理手段は各パケットに含まれるＣＲＣ符号による巡回冗長検査を行い、その検査結果に基づいて受信状態が最も良好な搬送波を選択することを特徴とする。
【００１３】
請求項７の発明は、請求項１又は２又は３の発明において、送信器の変調処理手段はパケットに含まれるデータを複数のデータ列に分割し且つ各データ列の間に定型符号をそれぞれ挿入し、受信器の復調処理手段は各パケットに含まれる定型符号の誤り率を演算し、該誤り率に基づいて受信状態が最も良好な搬送波を選択することを特徴とする。
【発明の効果】
【００１４】
本発明によれば、反射波以外の有色ノイズ、例えば、他の無線通信システムの電波などとの干渉ノイズによる通信品質の低下が抑制できるという効果がある。
【発明を実施するための最良の形態】
【００１５】
（実施形態１）
図１は本実施形態の無線通信システムを示し、（ａ）は一部省略した送信器Ｔのブロック図、（ｂ）は一部省略した受信器Ｒのブロック図である。但し、本実施形態の基本構成は従来例と共通であるから、共通の構成要素には同一の符号を付して図示並びに説明は適宜省略する。
【００１６】
送信器Ｔの変調処理部１は、入力されたデータを複数（例えば、５個）のパケットＰ１〜Ｐ５に分割するとともに分割した個々のパケットＰ１〜Ｐ５を複写することで複数個の同一パケットＰ１1〜Ｐ１N，Ｐ２1〜Ｐ２N，…，Ｐ５1〜Ｐ５Nを作成し、さらに作成した同一パケットについて複数の搬送波ｆ1〜ｆMからなる複写チャンネルＣＨ1〜ＣＨN（但し、２≦Ｎ≦Ｍ／２）毎に変調する処理を行う。複写チャンネルＣＨ1〜ＣＨNは、例えば図２に示すように隣接する複数（例えば、５個）の搬送波ｆk（ｋ＝１〜Ｍ）からなる。分割された複数のパケットＰ１〜Ｐ５がバッファ１ａに保存されるとともにバッファ１ａから読み出される際に各パケットＰ１〜Ｐ５がＮ個ずつ複写され、５個ずつ一組となった同一パケットＰ１i，Ｐ２i，…，Ｐ５i（ｉ＝１〜Ｎ）が送信バッファ１ｂに保存される。そして、送信バッファ１ｂに保存された５個一組のパケットＰ１i，Ｐ２i，…，Ｐ５iは、それぞれ複写チャンネルＣＨ1〜ＣＨNに属する搬送波ｆ1〜ｆM毎に位相と振幅の大きさが変調されて逆フーリエ変換部２に出力される。さらに逆フーリエ変換部２で周波数領域から時間領域に一括変換された複数のパケットＰ１i，Ｐ２i，…，Ｐ５iは各搬送波毎にガード・インターバルが付加された後に合成され、送信部４からＯＦＤＭ信号として送信される。
【００１７】
受信器Ｒにおいては、受信部１４で受信したＯＦＤＭ信号についてガード・インターバル除去部１３により各搬送波ｆ1〜ｆM毎にガード・インターバルが除去され、フーリエ変換部１２にて各搬送波ｆ1〜ｆMに対するフーリエ変換（離散フーリエ変換）が行われて各搬送波ｆ1〜ｆMが時間領域から周波数領域へ変換される。周波数領域に変換された搬送波ｆ1〜ｆM（パケットＰ１i，Ｐ２i，…，Ｐ５i）が復調処理部１１に取り込まれ、各複写チャンネルＣＨ1〜ＣＨN毎に受信バッファ１１ａに保存される。受信バッファ１１ａに保存された搬送波ｆ1〜ｆMについて個々の複写チャンネルＣＨ1〜ＣＨN毎にＮ個の受信状態判定部１１ｂにより受信状態の判定が行われる。この受信状態判定部１１ｂは、例えば受信した無線信号（ＯＦＤＭ信号）の信号強度（ＲＳＳＩ：Received Signal Strength Indicator）を計測することで受信状態を判定する。Ｎ個の受信状態判定部１１ｂの判定結果は判定部１１ｃに集められ、Ｎ個の複写チャンネルＣＨ1〜ＣＨNのうちでそれに属する５個の搬送波の受信状態が総合的に最も良好なものが判定部１１ｃによって判定される。そして判定部１１ｃで最良と判定された複写チャンネルＣＨiのみに対して復調処理が行われ、復調されたパケットＰ１〜Ｐ５がバッファ１１ｄを通して元のデータに復元されて出力される。
【００１８】
上述のように本実施形態によれば、複数の搬送波からなる複写チャンネルＣＨ1〜ＣＨNを構成し、各複写チャンネルＣＨ1〜ＣＨNで同一のパケットＰ１i，Ｐ２i，…，Ｐ５iを送信器Ｔから送信し、受信器Ｒでは各複写チャンネルＣＨ1〜ＣＨN毎に受信状態を判定して最良な複写チャンネルＣＨ1，…についてのみ復調処理を行うようにしたから、反射波以外の有色ノイズ、例えば、他の無線通信システムの電波などとの干渉ノイズによる通信品質の低下が抑制できるものである。
【００１９】
ここで、複写チャンネルＣＨ1〜ＣＨNの個数が増えるほど冗長度が高くなって耐ノイズ性が向上するが、反対に通信速度は低下してしまうことになる。したがって、複写チャンネルＣＨ1〜ＣＨNの個数（Ｎ）を変更可能とし、実際の通信環境におけるノイズの影響度合いを考慮して必要最低限の個数に設定すれば、耐ノイズ性を向上させつつ通信速度の低下を最小限に抑えることができる。なお、複写チャンネルＣＨ1〜ＣＨNの個数（Ｎ）の変更は、図示しない変更手段により送信器Ｔの送信バッファ１ｂ並びに受信器Ｒの受信バッファ１１ａの領域数並びに各領域の容量（深さ）を可変することで行われる。
【００２０】
（実施形態２）
図３は本実施形態の無線通信システムを示し、（ａ）は一部省略した送信器Ｔのブロック図、（ｂ）は一部省略した受信器Ｒのブロック図である。但し、本実施形態の基本構成は従来例及び実施形態１と共通であるから、共通の構成要素には同一の符号を付して図示並びに説明は適宜省略する。
【００２１】
本実施形態は、複写チャンネルを分割する分割手段と、一の複写チャンネルを分割して得られる複数の分割複写チャンネルにより他の複写チャンネルを周波数領域で前後から挟み込むように組み合わせる組合手段とを送信器Ｔに備え、分割複写チャンネルを合成して元の複写チャンネルに戻す合成手段を受信器Ｒに備えた点に特徴がある。すなわち、他の無線通信システムの電波との干渉（いわゆる隣接チャンネル干渉）は搬送波の周波数帯域における上下両端の周波数に影響が及ぶため、一の複写チャンネルを分割して得られる複数の分割複写チャンネルにより他の複写チャンネルを周波数領域で前後から挟み込むように組み合わせれば、隣接チャンネル干渉の影響は分割複写チャンネルにしか及ばず、分割複写チャンネルで挟み込まれた複写チャンネルについては隣接チャンネル干渉の影響を受けることがないから通信品質がさらに向上する。
【００２２】
以下、複写チャンネルＣＨの個数Ｎを２個（Ｎ＝２）とした場合を例示して本実施形態を具体的に説明する。
【００２３】
送信器Ｔの変調処理部１では、分割された複数のパケットＰ１〜Ｐ５がバッファ１ａに保存されるとともにバッファ１ａから読み出される際に各パケットＰ１〜Ｐ５が２個ずつ複写され、５個ずつ一組となった同一パケットＰ１i，Ｐ２i，…，Ｐ５i（ｉ＝１，２）が送信バッファ１ｂに保存される。そして、送信バッファ１ｂに保存された５個一組のパケットＰ１i，Ｐ２i，…，Ｐ５iのうち、一方の複写チャンネルＣＨ1に対応するパケットＰ１1〜Ｐ５1が分割手段によってビット単位若しくはバイト単位で２つの分割複写チャンネルＣＨ11，ＣＨ12に分割され、複写チャンネルＣＨ2並びに分割複写チャンネルＣＨ11，ＣＨ12に属する搬送波ｆ1〜ｆM毎に位相と振幅の大きさが変調されて逆フーリエ変換部２に出力される。さらに逆フーリエ変換部２で周波数領域から時間領域に一括変換された複数のパケットＰ１i，Ｐ２i，…，Ｐ５iは各搬送波毎にガード・インターバルが付加された後に合成され、送信部４からＯＦＤＭ信号として送信される。ここで、図示しないガード・インターバル付加部３においては、図４に示すように２つの分割複写チャンネルＣＨ11，ＣＨ12の間に分割されていない複写チャンネルＣＨ2を挟み込むように合成したＯＦＤＭ信号を作成して送信部４から送信する。したがって、ガード・インターバル付加部３が組合手段となる。
【００２４】
一方、受信器Ｒにおいては、受信部１４で受信したＯＦＤＭ信号についてガード・インターバル除去部１３により各搬送波毎にガード・インターバルが除去されるとともに、２つの分割複写チャンネルＣＨ11，ＣＨ12が複写チャンネルＣＨ2から分離されてフーリエ変換部１２にて各搬送波が時間領域から周波数領域へ変換される。周波数領域に変換された搬送波（パケットＰ１i，Ｐ２i，…，Ｐ５i）が復調処理部１１に取り込まれ、各複写チャンネルＣＨ1，ＣＨ2毎に受信バッファ１１ａに保存される。このとき、２つの分割複写チャンネルＣＨ11，ＣＨ12が合成されて元の複写チャンネルＣＨ1に戻される。受信バッファ１１ａに保存された搬送波について個々の複写チャンネルＣＨ1，ＣＨ2毎に２個の受信状態判定部１１ｂにより受信状態の判定が行われる。２個の受信状態判定部１１ｂの判定結果は判定部１１ｃに集められ、２個の複写チャンネルＣＨ1，ＣＨ2のうちでそれに属する５個の搬送波の受信状態が総合的に最も良好なものが判定部１１ｃによって判定される。そして判定部１１ｃで最良と判定された複写チャンネルＣＨ1又はＣＨ2のみに対して復調処理が行われ、復調されたパケットＰ１〜Ｐ５がバッファ１１ｄを通して元のデータに復元されて出力される。
【００２５】
（実施形態３）
図５は本実施形態の無線通信システムを示し、（ａ）は一部省略した送信器Ｔのブロック図、（ｂ）は一部省略した受信器Ｒのブロック図である。但し、本実施形態の基本構成は従来例及び実施形態１と共通であるから、共通の構成要素には同一の符号を付して図示並びに説明は適宜省略する。
【００２６】
本実施形態は、ノイズレベルに基づいてそれぞれの搬送波を複数にランク分けし同じランクに属する複数の搬送波を組み合わせて各ランクに対応した複写チャンネルを作成する複写チャンネル作成手段を送信器Ｔに備え、受信器Ｒの復調処理部１１は、ノイズレベルが最も低いランクに属する複写チャンネルに属する搬送波から元のデータを復調する処理を行う点に特徴がある。
【００２７】
以下、搬送波ｆ1〜ｆ12の個数Ｍを１２、複写チャンネルＣＨ1〜ＣＨ3の個数Ｎを３、パケットＰ１〜Ｐ４の個数を４として本実施形態を説明する。但し、これらの数値は一例であってこれに限定する主旨ではない。
【００２８】
複写チャンネル作成手段（図示せず）は受信器Ｒの受信部１４で受信した無線信号（ＯＦＤＭ信号）の信号強度（ＲＳＳＩ）を計測することによって搬送波ｆ1〜ｆ12のノイズレベルを測定し、その測定値に基づいて３段階（低・中・高）にランク分けし、ノイズレベルが最も低い搬送波ｆ4，ｆ5，ｆ7，ｆ12で構成される複写チャンネルＣＨ1と、ノイズレベルが中間レベルとなる搬送波ｆ1，ｆ3，ｆ8，ｆ11で構成される複写チャンネルＣＨ2と、ノイズレベルが最も高い搬送波ｆ2，ｆ6，ｆ9，ｆ10で構成される複写チャンネルＣＨ3とを作成する。分割された複数のパケットＰ１〜Ｐ４がバッファ１ａに保存されるとともにバッファ１ａから読み出される際に各パケットＰ１〜Ｐ４が３個ずつ複写され、４個ずつ一組となった同一パケットＰ１i，Ｐ２i，…，Ｐ４i（ｉ＝１〜３）が送信バッファ１ｂに保存される。そして、送信バッファ１ｂに保存された４個一組のパケットＰ１i，Ｐ２i，…，Ｐ４iは、それぞれ複写チャンネルＣＨ1〜ＣＨ3に属する搬送波ｆ1〜ｆ12毎に位相と振幅の大きさが変調されて逆フーリエ変換部２に出力される。さらに逆フーリエ変換部２で周波数領域から時間領域に一括変換された複数のパケットＰ１i，Ｐ２i，…，Ｐ４iは各搬送波ｆ1〜ｆ12毎にガード・インターバルが付加された後に合成され、送信部４からＯＦＤＭ信号として送信される（図６参照）。
【００２９】
一方、受信器Ｒにおいては、受信部１４で受信したＯＦＤＭ信号についてガード・インターバル除去部１３により各搬送波ｆ1〜ｆ12毎にガード・インターバルが除去されるとともに、３つの複写チャンネルＣＨ1〜ＣＨ3の各搬送波ｆ1〜ｆ12がフーリエ変換部１２にて時間領域から周波数領域へ変換される。周波数領域に変換された搬送波（パケットＰ１i，Ｐ２i，…，Ｐ４i）が復調処理部１１に取り込まれ、各複写チャンネルＣＨ1〜ＣＨ3毎に受信バッファ１１ａに保存される。そして、ノイズレベルが最も低いランクに分けられた４個の搬送波ｆ4，ｆ5，ｆ7，ｆ12が属する複写チャンネルＣＨ1のみに対して復調処理が行われ、復調されたパケットＰ１〜Ｐ４がバッファ１１ｄを通して元のデータに復元されて出力される。すなわち、本実施形態における復調処理部１１では受信状態判定部１１ｂ並びに判定部１１ｃは不要である。
【００３０】
上述のように本実施形態によれば、複数の搬送波ｆ1〜ｆ12をノイズレベルによってランク分けし、同一ランクに属する搬送波のみで複数の複写チャンネルＣＨ1〜ＣＨ3を構成しているから、受信器Ｒの復調処理部１１では複写チャンネルＣＨ1〜ＣＨ3毎に受信状態を判定して最良の受信状態のものを選択する手段（受信状態判定部１１ｂ並びに判定部１１ｃ）が不要になって構成が簡素化できる。またランダムな周波数分布を持ったノイズ、例えば反射波によるマルチパス干渉ノイズの影響が一層低減できるという利点もある。
【００３１】
なお、受信器Ｒで復調しない複写チャンネルＣＨ2，ＣＨ3を合わせて送信するのは、搬送波の個数を一定にすることにより複写チャンネルを利用しないときとで送信器Ｔの逆フーリエ変換部２並びに受信器Ｒのフーリエ変換部１２が同一構成にでき、あるいは、予め決まられた周波数帯域を全て使用することによりＯＦＤＭ信号が送信されていることを受信器Ｒ側で検出しやすくなるなどの理由があるためである。
【００３２】
（実施形態４）
本実施形態における送信器Ｔ並びに受信器Ｒはそれぞれ実施形態１又は２のものと共通の構成を有するから図示は省略する。
【００３３】
本実施形態は、送信器Ｔの変調処理部１において分割したパケットＰ１1，…にプリアンブルを付加し、受信器Ｒの復調処理部１１においてはパケットＰ１1，…に付加されたプリアンブルによって搬送波ｆ1，…の受信状態を判定する点に特徴がある。
【００３４】
変調処理部１は、図７に示すようにデータを複数のパケットＰ１1，…に分割する際、プリアンブル及びその他の情報を含むヘッダを付加している。プリアンブルとは、イーサネット（登録商標）やＩＥＥＥ８０２．３などのＬＡＮに接続しているノードにフレーム送信の開始を認識させ、同期をとるタイミングを与えるための信号であって、通常は１と０が交互に続き、最後の１ビットが１で終わるものである。つまり、プリアンブルが定型の信号であるため、受信器Ｒの復調処理部１１では復調されたパケットＰ１1，…について受信状態判定部１１ｂがヘッダに含まれるプリアンブルのビット誤り率を求めて受信状態を判定し、受信状態が良好なパケットＰ１1，…のみがバッファ１１ｄを通して元のデータに復元されて出力される。
【００３５】
上述のように本実施形態によれば、受信状態が良好なパケットのみを選択して元のデータを復元することができるから通信品質がさらに向上するものである。
【００３６】
（実施形態５）
本実施形態における送信器Ｔ並びに受信器Ｒはそれぞれ実施形態１又は２のものと共通の構成を有するから図示は省略する。
【００３７】
本実施形態は、送信器Ｔの変調処理部１においてパケットＰ１1，…に含まれるデータを複数のデータ列に分割し且つ各データ列の間に巡回冗長検査（ＣＲＣ）符号をそれぞれ挿入し、受信器Ｒの復調処理部１１においては各パケットＰ１1，…に含まれるＣＲＣ符号による巡回冗長検査を行い、その検査結果に基づいて受信状態が最も良好な搬送波を選択する点に特徴がある。
【００３８】
変調処理部１は、図８に示すようにデータを複数のパケットＰ１1，…に分割する際、データを複数のデータ列Ｄｘに分割し且つ各データ列Ｄｘの間に巡回冗長検査（ＣＲＣ）符号をそれぞれ挿入してカプセル化し、このカプセル化されたデータ（パケット）の先頭にプリアンブル等を含むヘッダを付加している。そして受信器Ｒの復調処理部１１では、パケットＰ１1，…について各データ列Ｄｘの間に挿入されているＣＲＣ符号による巡回冗長検査を行うことでそれぞれのデータ列Ｄｘ毎に受信状態を判定し、受信状態が良好なデータ列Ｄｘ，…のみが選択されて一つのパケットＰ１1，…が合成され、このようにして合成された複数のパケットＰ１1，…からバッファ１１ｄを通して元のデータが復元される。
【００３９】
上述のように本実施形態によれば、パケットに含まれるデータを分割した複数のデータ列のうちから受信状態が良好なデータ列を選択してパケットを合成し且つ元のデータを復元することができるから通信品質がさらに向上するものである。
【００４０】
（実施形態６）
本実施形態における送信器Ｔ並びに受信器Ｒはそれぞれ実施形態１又は２のものと共通の構成を有するから図示は省略する。
【００４１】
本実施形態は、送信器Ｔの変調処理部１においてパケットＰ１1，…に含まれるデータを複数のデータ列Ｄｘに分割し且つ各データ列Ｄｘの間に定型符号Ｄｙをそれぞれ挿入し、受信器Ｒの復調処理部１１においては各パケットＰ１1，…に含まれる定型符号Ｄｙの誤り率を演算し、この誤り率に基づいて受信状態が最も良好な搬送波を選択する点に特徴がある。
【００４２】
変調処理部１は、図９に示すようにデータを複数のパケットＰ１1，…に分割する際、データを複数のデータ列Ｄｘに分割し且つ各データ列Ｄｘの間に定型符号Ｄｙ（例えば、Ｍ系列符号）をそれぞれ挿入してカプセル化し、このカプセル化されたデータ（パケット）の先頭にプリアンブル等を含むヘッダを付加している。そして受信器Ｒの復調処理部１１では、パケットＰ１1，…について各データ列Ｄｘの間に挿入されている定型符号Ｄｙについて誤り率を演算することでそれぞれのデータ列Ｄｘ毎に受信状態を判定し、受信状態が良好なデータ列Ｄｘ，…のみが選択されて一つのパケットＰ１1，…が合成され、このようにして合成された複数のパケットＰ１1，…からバッファ１１ｄを通して元のデータが復元される。
【００４３】
上述のように本実施形態によれば、パケットに含まれるデータを分割した複数のデータ列のうちから受信状態が良好なデータ列を選択してパケットを合成し且つ元のデータを復元することができるから通信品質がさらに向上するものである。なお、実施形態５ではＣＲＣ符号による巡回冗長検査を行って誤りの有無のみで受信状態を判定しているが、本実施形態では誤りの有無だけでなく誤り率を演算して受信状態を判定しているため、誤りのある複写チャンネルＣＨ1，…のなかから最良のものが選択できるという利点がある。
【図面の簡単な説明】
【００４４】
【図１】実施形態１を示し、（ａ）は一部省略した送信器のブロック図、（ｂ）は一部省略した受信器のブロック図である。
【図２】同上における複写チャンネルの説明図である。
【図３】実施形態２を示し、（ａ）は一部省略した送信器のブロック図、（ｂ）は一部省略した受信器のブロック図である。
【図４】同上における複写チャンネルの説明図である。
【図５】実施形態３を示し、（ａ）は一部省略した送信器のブロック図、（ｂ）は一部省略した受信器のブロック図である。
【図６】同上における複写チャンネルの説明図である。
【図７】実施形態４におけるパケットのデータフォーマットである。
【図８】実施形態５におけるパケットのデータフォーマットである。
【図９】実施形態６におけるパケットのデータフォーマットである。
【図１０】従来例のブロック図である。
【符号の説明】
【００４５】
Ｔ  送信器
Ｒ  受信器
１  変調処理部
２  逆フーリエ変換部
１１  復調処理部
１１ｂ  受信状態判定部
１１ｃ  判定部
１２  フーリエ変換部
【図１】
2006042069.tif 000003
【図２】
2006042069.tif 000004
【図３】
2006042069.tif 000005
【図４】
2006042069.tif 000006
【図５】
2006042069.tif 000007
【図６】
2006042069.tif 000008
【図７】
2006042069.tif 000009
【図８】
2006042069.tif 000010
【図９】
2006042069.tif 000011
【図１０】
2006042069.tif 000012